(57)【要約】      （修正有）【課題】クリップとクリップを保持する吊り下げ部材とをそれぞれ別体として形成し、それらを係脱自在とすることで、衣類を吊り下げるコストの削減が計れるようにする。【解決手段】係合突起６は、ほぼ直方体の横長部材で形成され、挟持片７の横幅方向に横長になるように突設される。この係合突起６を係止空間４に嵌め込むには、一旦、クリップ５を横向きにして開口部１１から挿入し、係止空間４内で９０度回転させて取り付ける。本考案の吊り下げ構造体１０は、上述したようにクリップ５と吊り下げ部材１ａとを別体として形成し、且つ、それらを係脱自在とするものである。このように、クリップ５と吊り下げ部材１ａとを別体として形成し、且つ、それらを係脱自在とすることにより、必要に応じて、クリップ５をアーム部２ａに保持させることができるので、衣類の吊り下げに係るコストの削減が計れるようになる。【選択図】図２
0003116916.tif 000002
【実用新案登録請求の範囲】
【請求項１】
衣類を吊り下げる吊り下げ部材に対して係脱自在に取り付けられるクリップであって、
一対の挟持片をバネによって組み付けて構成されるクリップ本体と、前記挟持片の外壁面に突出させて設けた係合突起と、を備えていることを特徴とする突起付きクリップ。
【請求項２】
前記クリップは、前記係合突起の末端部にストッパ部材を有しており、該ストッパ部材と前記挟持片との間の領域が、前記吊り下げ部材に挟持されて取り付けられることを特徴とする請求項１に記載の突起付きクリップ。
【請求項３】
中央にフックを有するとともにアーム部を備えて構成される吊り下げ部材が、請求項１又は２に記載の突起付きクリップを係脱自在に係止させていることを特徴とする吊り下げ構造体。
【考案の詳細な説明】
【技術分野】
【０００１】
本考案は、店舗で衣類を吊り下げる際に利用されるクリップおよびクリップを利用して構成される衣類の吊り下げ構造体に関する。
【背景技術】
【０００２】
店舗で利用されるハンガーは、主に、衣類を「掛ける」場合に利用され、概ね、衣類の種類に応じてその種類が決まっている。このようなハンガーにおいて、さらに、関連衣類を「吊り下げる」場合、クリップ付きハンガーを利用することになるが、クリップ付きハンガーの製造コストは、クリップを付けていないタイプのハンガーに比べて割高である。クリップ付きハンガーを安価に製造するものとして、特開２０００−２１７６９３号公報には、一対の挾持片を備えたクリップをハンガー本体と一体的に構成し、且つ、使用時にこれを分離してハンガー本体に装着することが開示されている。この公報に開示されているハンガーの装着構造は、ハンガー本体の横架杆の下部に一対の略Ｌ字状差込突起を対向するように突出させて設け、且つ、クリップの装着部には差込孔を設けることが記載されている。また、一対の挾持片の略Ｌ字状基端部分が、横架杆の取付溝に収まることによりクリップがハンガー本体に係止される構造が開示されている。そして、クリップは、一方の挾持片に突設した係止突起と、他方の挾持片に穿設した係止孔とを備え、係止突起の先端部分が係止孔の孔縁部分に係脱自在に係止されたとき被挾持物を挾持できるよう構成されている。
【０００３】
上述した公報に記載のハンガーは、クリップ付きハンガーを安価に製造するために、クリップをハンガー本体と一体的に製造するものであり、製造されるハンガー本体とクリップとは同数である。しかし、衣類が展示されて販売される店舗において、衣類の種類やデザインが多様化する現在、ハンガーに衣服を掛けるだけで使用する場合や、同種の衣類であっても、このような衣類に対してクリップを使用する場合もある。このことから、クリップを使用する場合があるからといって、このような衣服の全てにクリップ付きハンガーを利用したのではコスト高になる。すなわち、クリップは、必要に応じて装着できる程度の持ち合わせがあればよく、ハンガー本体の数だけ揃える必要なない。
【０００４】
尚、特開２００１−１２９２９８号公報には、ハンガー本体にクリップが吊り下げられるように洗濯ばさみ吊り下げ具が開示されているが、このような吊り下げ具は、店舗で商品を吊り下げるハンガーには利用できない。また、特開２００５−２０４６８２号公報には、下着用ハンガーのアタッチメント及び下着用ハンガーが開示されている。しかし、下着用ハンガー対して着脱自在に装着されるのは、ハンガー痕が付かないようにするアタッチメントであり、クリップがハンガーに着脱自在に装着される等の記載はない。
【特許文献１】特開２０００−２１７６９３号公報
【特許文献２】特開２００１−１２９２９８号公報
【特許文献３】特開２００５−２０４６８２号公報
【考案の開示】
【考案が解決しようとする課題】
【０００５】
一旦組み上がったクリップ付きハンガーは、それぞれ別個に分離し難い。このことから、クリップを付けたまま、衣服を掛けることになるが、このような状態は、比較的高価なクリップを遊ばせることになるので無駄である。
本考案は、クリップを必ずしも必要としない衣類にまで、クリップ付きハンガーを利用するといった無駄をなくすことであり、クリップとクリップを保持する吊り下げ部材とをそれぞれ別体として形成し、それらを係脱自在とすることにより、必要な時にのみ吊り下げ部材にクリップを係止させるようにすることで、衣類の吊り下げにかかるコストの削減が計れるようにすることである。
【課題を解決するための手段】
【０００６】
上記目的を達成するため、本考案の突起付きクリップは、衣類を吊り下げる吊り下げ部材に対して係脱自在に取り付けられるクリップであって、一対の挟持片をバネによって組み付けて構成されるクリップ本体と、前記挟持片の外壁面に突出させて設けた係合突起と、を備えていることを特徴とする。そして、前記クリップは、前記係合突起の末端部にストッパ部材を有しており、該ストッパ部材と前記挟持片との間の領域が、前記吊り下げ部材に挟持されて取り付けられることを特徴とする。
【０００７】
また、本考案の吊り下げ構造体は、中央にフックを有するとともにアーム部を備えて構成される吊り下げ部材が、請求項１又は２に記載の突起付きクリップを係脱自在に係止させていることを特徴とする。
【考案の効果】
【０００８】
本考案のクリップは、その本体の外壁面に突出させて係合突起を備えることにより、衣類を吊り下げる吊り下げ部材に対して係脱自在に取り付けられるものになる。そして、このように、クリップと吊り下げ部材とが、それぞれ別体として形成され、且つ、それらを係脱自在とすることにより、必要な時にのみ吊り下げ部材にクリップを係止させることができるので、衣類の吊り下げに係るコストの削減が計れるようになる。
また、係合突起の末端部に設けられたストッパ部材とクリップの挟持片との間の領域を吊り下げ部材に挟持させた場合には、クリップを吊り下げ部材に安定的に保持させることができる。そして、吊り下げ部材が、例えば、衣類を吊り下げるための空間や隙間を有していれば、このような空間や隙間を利用して本考案のクリップを係止させることができる。即ち、クリップに設けられる係合突起の形状を必要に応じて変更を加えれば、各種の吊り下げ部材に対応させて、クリップを取付けることができるものになる。
【０００９】
中央にフックを有するとともにアーム部を備えて吊り下げ部材を構成し、且つ、突起付きクリップを係脱自在に係止させることにより、アーム部の左右で衣類を吊り下げることができる。そして、クリップは、アーム部に対して係脱自在であるから、従来のクリップ付きハンガーと比較して、衣類を吊り下げる吊り下げ構造体のコストは、経済的なものになる。
【考案を実施するための最良の形態】
【００１０】
図１は、第１の形態における本考案の吊り下げ構造体１０を示す正面図である。また、図２（ａ）は、吊り下げ部材１ａであり、図２（ｂ）は、吊り下げ部材１ａに取り付けられる本考案のクリップ５の側面図、図２（ｃ）は本考案のクリップ５の平面図である。
【００１１】
これら、図１および図２に示すように、吊り下げ構造体１０は、アーム部２ａの中央にフック３を設けて、衣類が吊り下げられるようにした吊り下げ部材１ａに、本考案のクリップ５を係脱自在に取り付けられるようにしたものである。このため、吊り下げ部材１ａのアーム部２ａには、その上縁を開口させて開口部１１を設け、その開口部１１から、略凸形状の空間を形成した係止空間４が形成されている。本実施の形態の吊り下げ部材１ａは、さらに、開口部１１の近傍から上方に突出させて吊り部１７を設けて形成されている。そして、この係止空間４には、女性用下着等の紐を掛けて吊り下げられるが、ショーツ等を吊り下げる際には、クリップ５を係止空間４に嵌め込むことにより、クリップ５でショーツ等を挟持して吊り下げることができるものになる。
【００１２】
本考案のクリップ５は、クリップ本体５ａに係合突起６が設けられたものであり、クリップ本体５ａは、一対の挟持片７をバネ８によって組み付けて構成される。そして、係合突起６は、一対の挟持片７の何れかの一方の外壁面に設けられ、係合突起６の端部には抜け止め用にストッパ部材９が設けられる。係合突起６は、ほぼ直方体の横長部材で形成され、挟持片７の横幅方向に横長になるように突設される。この係合突起６を係止空間４に嵌め込むには、一旦、クリップ５を横向きにして開口部１１から挿入し、係止空間４内で９０度回転させて取り付ける。本考案の吊り下げ構造体１０は、上述したようにクリップ５と吊り下げ部材１ａとを別体として形成し、且つ、それらを係脱自在とするものである。このように、クリップ５と吊り下げ部材１ａとを別体として形成し、且つ、それらを係脱自在とすることにより、必要に応じて、クリップ５をアーム部２ａに保持させることができるので、衣類の吊り下げに係るコストの削減が計れるようになる。
【００１３】
図３は、本考案の吊り下げ構造体２０を示す正面図である。また、図４（ａ）は、従来の吊り下げ部材１ｂの正面図であり、図４（ｂ）は、吊り下げ部材１ｂに取り付けられる本考案のクリップ５の側面図である。
【００１４】
これら、図３および図４に示したように、本考案の吊り下げ構造体２０は、吊り下げ部材１ｂが、従来から流通しているものであっても、その吊り下げ部材１ｂに係脱自在なクリップ５を形成することにより、クリップ５を必要な時にのみ吊り下げ部材１ｂのアーム部２ｂに係止させることができる。
この吊り下げ部材１ｂは、アーム部２の両端部に設けられた開口部１１から中央に向けて空間（係止空間４）が形成されることにより、アーム部２ｂが上側部材１２と下側部材１３とに２分されるように形成されている。そして、本考案のクリップ５は、クリップ５の係合突起６を吊り下げ部材１ｂの係止空間４に嵌め込まれるように形成されている。
【００１５】
因みに、吊り下げ部材１ｂには、アーム部２ｂの周縁に、アーム部２ｂに対して直角方向に出っ張った厚み部分（リブ１５）を有する。そして、吊り下げ部材１ｂの上側部材１２は、上下方向に若干撓むので、上側部材１２を上方に撓ませた際の復元力を有する。以上のことから、吊り下げ部材１ｂの上側部材１２を撓ませて、本考案のクリップ５を吊り下げ部材１ｂに嵌め込み係止することができる。また、吊り下げ部材１ｂの上側部材１２は、一定の強度でクリップ５の係合突起６を上から押圧するので、クリップ５を安定的に保持することができる。
【００１６】
尚、上側部材１２はアーム部２の上縁に重ねるようにＵ字形状に形成され、アーム部２ｂの上縁でその末端が中央を向くように設けられている。これにより、アーム部２ｂの上縁に第２の係止空間１６が形成されている。この係止空間１６は、基本的にクリップ５を取り付けるための空間ではなく、吊り下げられる被吊り下げ物（女性の下着等）の紐などを内側からスライドさせて係止するために利用される。
【００１７】
クリップ５の取り付けは、アーム部２の左右両側端部から、クリップ５の係合突起６を開口部１１に押し当てて、上側部材１２と下側部材１３とで形成される隙間に押し込んで、係止空間４までスライドさせる。第１の形態の吊り下げ構造体１０との違いは、係合突起６を係止空間４に嵌め込む際に、クリップ５を横向きにする必要がなく、クリップ５を縦向きのまま開口部１１に押し当てて挿入できることである。
【００１８】
図５は、本考案の吊り下げ構造体３０を示す正面図である。また、図６（ａ）は、従来のハンガー（吊り下げ部材１ｃ）の正面図であり、図６（ｂ）は、吊り下げ部材１ｃに取り付けられる本考案のクリップ５を説明する説明図である。
【００１９】
クリップ５における係合突起６の形状は、吊り下げ部材における係止部位の形状に対応させて任意に形成されるものであり、図６（ａ）に示す吊り下げ部材１ｃであっても同様に、クリップ５が吊り下げ部材１ｃに取り付けられる。図６（ａ）に示す吊り下げ部材１ｃは、開口部１１から内側の奥に係止空間４を有している。このような係止空間４に対してクリップ５を係止させるためには、抜け止め用のストッパ部材９を着脱可能にし、係合突起６を係止空間４に差し込んだ後に、ストッパ部材９を嵌め込むようにする。もしくは、ストッパ部材９の外径とほぼ同程度の内径を有するとともに係止空間４より大きなキャップ部材９ａを用意し、係合突起６及びストッパ部材９を係止空間４に差し込んだ後に、キャップ部材９ａ被せる。
【００２０】
クリップ５は、係合突起６の下方に第２の係合突起６ａを備えてもよい。このような第２の係合突起６ａは、特に、図６（ａ）に示すような、下側部材１３の両側部に下方向に向けて下部突起１８が設けられているような吊り下げ部材１ｃに対して有効である。即ち、第２の係合突起６ａは、上側部材１２と下側部材１３との間にクリップ５の係合突起６を係止させた際に、第２の係合突起６ａが下部突起１８に当接し横方向の振れを防止するので、クリップ５が安定的に保持できるものになる。因みに、この第２の係合突起６ａは、吊り下げられる衣類の紐等が傷付かないよう半球状の突起物として形成される。
【００２１】
以上、本考案のクリップは、アーム部に空間や隙間を有する吊り下げ部材に対して係脱自在に取り付けられるものである。また、本考案の吊り下げ構造体は、クリップと吊り下げ部材とを別体として形成し、空間や隙間を設けた吊り下げ部材のアーム部にクリップを着脱自在に係止させるものである。
【図面の簡単な説明】
【００２２】
【図１】吊り下げ構造体を示す正面図である。
【図２】（ａ）は、吊り下げ部材の正面図であり、（ｂ）は、クリップの側面図であり、（ｃ）は、クリップの平面図である。
【図３】吊り下げ構造体を示す正面図である。
【図４】（ａ）は、吊り下げ部材の正面図であり、（ｂ）は、クリップの側面図である。
【図５】吊り下げ構造体を示す正面図である。
【図６】（ａ）は、吊り下げ部材の正面図であり、（ｂ）は、クリップの説明図である。
【符号の説明】
【００２３】
１ａ、１ｂ、１ｃ  吊り下げ部材
２ａ、２ｂ、２ｃ  アーム部
４  係止空間
５  クリップ
６  係合突起
１０、２０、３０  吊り下げ構造体
【図１】
0003116916.tif 000003
【図２】
0003116916.tif 000004
【図３】
0003116916.tif 000005
【図４】
0003116916.tif 000006
【図５】
0003116916.tif 000007
【図６】
0003116916.tif 000008